(57)【要約】【課題】左右のキーボードスイッチが離れることなくキーボードを折り畳み可能に分割することができ、キーボードを折り畳んでコンパクトに収納することができる携帯型電子機器を提供する。【解決手段】携帯型電子機器1は、キーボード１０をキー配列に沿って左右に分割した第一キーボード部１１及び第二キーボード部１２と、第一キーボード部１１に第一ヒンジ機構３１を介して回動可能に接続された表示体２０とからなり、第二キーボード部１２が第二ヒンジ機構３２を介して第一キーボード部１１に回動可能に接続され、第二ヒンジ機構３２は、キースイッチ面を跨がない位置で第一キーボード部１１の基板部１１ａと第二キーボード部１２の基板部１２ａとを互いに接続するように配設されている。【選択図】図１
2011145774.tif 000002
【特許請求の範囲】
【請求項１】
キーボードをキー配列に沿って左右に分割した第一キーボード部及び第二キーボード部と、前記第一キーボード部に第一ヒンジ機構を介して回動可能に接続された表示体とからなり、前記第二キーボード部が第二ヒンジ機構を介して前記第一キーボード部に回動可能に接続され、前記第一キーボード部及び前記第二キーボード部のキースイッチ面が対向し合うように収納可能な携帯型電子機器であって、
前記第一ヒンジ機構は、前記表示体の下部と前記第一キーボード部の基板部とを接続するように配設され、
前記第二ヒンジ機構は、キースイッチ面を跨がない位置で前記第一キーボード部の基板部と前記第二キーボード部の基板部とを互いに接続するように配設され、前記第一キーボード部と前記第二キーボード部とをキー配列の分割位置で連設したことを特徴とする携帯型電子機器。
【請求項２】
収納状態において、前記第一キーボード部の分割面と、前記第二キーボード部の分割面及び裏面分割側端部を覆うと共に、展開状態において、前記第二キーボード部の裏面部の一部を覆う裏面保護部材を備えたことを特徴とする請求項１記載の携帯型電子機器。
【請求項３】
前記裏面保護部材は、第一裏面保護部と第二裏面保護部とからなり、前記第一裏面保護部の一方端がヒンジを介して前記第一キーボード部の基板部の分割端に回動可能に接続され、前記第二裏面保護部の一方端がヒンジを介して前記第一裏面保護部の他方端に回動可能に接続され、前記第二裏面保護部の他方端部に設けた一対のヒンジピンが前記第二キーボード部の基板部の側面に設けた一対のヒンジ溝に回動及び滑動可能に連結されたことを特徴とする請求項２記載の携帯型電子機器。
【請求項４】
前記第二キーボード部の基板部裏面には、前記第一キーボード部と同じ厚さに形成された台座部と、該台座部より薄く形成されて前記表示体を収容可能な収容部と、を備えたことを特徴とする請求項１から３いずれか記載の携帯型電子機器。
【請求項５】
前記第一キーボード部の基板部裏面と前記第二キーボード部の台座部に脚部を設けたことを特徴とする請求項４記載の携帯型電子機器。
【請求項６】
前記キーボードは、そのキーボードキーが６段配置であることを特徴とする請求項１から５いずれか記載の携帯型電子機器。
【発明の詳細な説明】
【技術分野】
【０００１】
本発明は、ノート型パソコンやＰＤＡ等の携帯型電子機器に係り、特に折り畳み可能なキーボードと表示体を備える携帯型電子機器に関するものである。
【背景技術】
【０００２】
ノートパソコンやＰＤＡ等の携帯型電子機器は、より小型であることが携帯性を高めるために求められている。一方、携帯型電子機器のキーボードには、入力の速度や入力のしやすさを考慮すると、ＱＷＥＲＴＹ配列をし、手の大きさに適合したフルキーボードが適している。しかし、上記キーボードを液晶などの表示部と組み合わせた携帯型電子機器では、キーボードの横幅長で大きさが制限され、小型にすることは出来ない。このような要請に応えるために、折り畳み可能なキーボードと液晶表示部を備える携帯型電子機器が、特許文献１及び２に示されている。
【０００３】
特許文献１の図２ａに記載の携帯型電子機器は、２分割されたキーボードと液晶表示部とからなり、収納時にはキーボードが折り畳まれて液晶表示部の裏側に収納され、使用時にはキーボードが展開されてフルキーボードとして使用できるように構成されている。
【０００４】
特許文献２に記載の携帯型電子機器は、２分割されたキーボードが台座に対して滑動し、収納状態において台座内に収められ、液晶表示部と重ね合わされ、展開状態においてキーボードの一部が台座外に位置し、フルキーボードとして使用できるように構成されている。
【先行技術文献】
【特許文献】
【０００５】
【特許文献１】米国特許第5,712,760号明細書
【特許文献２】米国特許出願公開第2008/0125198号明細書
【発明の概要】
【発明が解決しようとする課題】
【０００６】
しかしながら、特許文献１及び２に記載の携帯型電子機器は、キーボードの中央部にキースイッチ面を跨いでヒンジを配設し、キーボードを折り畳み可能な構成にしているために、左右のキースイッチ間に無駄な空間が生じている。従って、これらのキーボードでは、ユーザが通常使用しているキーボードとはキースイッチの配置が異なるために、ユーザがキーボードを使用する際に違和感を覚えて使いづらいという問題がある。
【０００７】
また、特許文献２に記載の携帯型電子機器は、２分割されたキーボードを台座に対してスライドさせる機構を有するためにコスト高になるのみならず、展開状態において、ユーザが台座外に位置するキーボードのキースイッチを押下すると、台座の厚み分の空間により、キーボードがガタつき、キースイッチの操作性が良くないという問題がある。
【０００８】
また、特許文献１及び２に記載の携帯型電子機器には、分割されたキーボードを折り畳んだ際の分割面を塞ぐような構成はなく、これでは、分割面からゴミが入り故障の原因となったり、内部に備えられている回路基板やケーブル等の内蔵物が見えたりして外観上良くないという問題がある。
【０００９】
さらには、キーボードの配列が英語圏の場合、その配置は縦４列ないし５列で構成可能であるが、日本語入力を主とする日本語や漢字圏の場合、縦６列の必要性が高い。ＪＩＳ規格でもＪＩＳ  Ｘ  ６００２−１９８０で6列が規格化されている（以降、この規格に適合したキーボードをＪＩＳキーボードと略称する）。このような６列のキーボードを分割構造とすると、キー配列を右側と左側に分ける構造が非常に複雑になり、縦６列の折り畳みキーボードは携帯型電子機器には採用されてこなかった。
【００１０】
本発明はこのような点に鑑みてなされたものであり、左右のキーボードスイッチが離れることなくキーボードを折り畳み可能に分割することができ、日本語入力が可能な縦６列のキーボード配列を備えた折り畳みキーボードを有する携帯型電子機器を提供することを目的とする。また、キーボードの分割面からのゴミの侵入を防止し、コンパクトに収納することができる折り畳み可能なキーボードを有する携帯型電子機器を提供することを目的とする。
【課題を解決するための手段】
【００１１】
以上の課題を解決するため、本発明に係る携帯型電子機器は、キーボードをキー配列に沿って左右に分割した第一キーボード部及び第二キーボード部と、前記第一キーボード部に第一ヒンジ機構を介して回動可能に接続された表示体とからなり、前記第二キーボード部が第二ヒンジ機構を介して前記第一キーボード部に回動可能に接続され、前記第一キーボード部及び前記第二キーボード部のキースイッチ面が対向し合うように収納可能な携帯型電子機器であって、前記第一ヒンジ機構は、前記表示体の下部と前記第一キーボード部の基板部とを接続するように配設され、前記第二ヒンジ機構は、キースイッチ面を跨がない位置で前記第一キーボード部の基板部と前記第二キーボード部の基板部とを互いに接続するように配設され、前記第一キーボード部と前記第二キーボード部とをキー配列の分割位置で連設したことを特徴とする。
【００１２】
本発明によれば、第二ヒンジ機構が、キースイッチ面を跨がない位置で第一キーボード部の基板部と第二キーボード部の基板部とを互いに接続するから、第一キーボード部と第二キーボード部とをキー配列の分割位置で連設することができ、左右のキーボードスイッチが離れることなくキーボードを折り畳み可能に分割することができる。従って、本発明に係る携帯型電子機器は、キーボードを折り畳んでコンパクトに収納することができると共に、使用に際しては、通常のキーボードと同様に違和感がなく操作することができ、ユーザの操作性の向上が図れる。
【００１３】
また、本発明に係る携帯型電子機器は、収納状態において、前記第一キーボード部の分割面と、前記第二キーボード部の分割面及び裏面分割側端部を覆うと共に、展開状態において、前記第二キーボード部の裏面部の一部を覆う裏面保護部材を備えたことを特徴とする。
【００１４】
本発明によれば、収納状態において、裏面保護部材がキーボードの分割面を覆って、キーボードの分割面からのゴミの侵入を防止することができると共に、第一キーボード部と第二キーボード部をつなぐケーブル等を保護することができる。また、展開状態において、裏面保護部材は第二キーボード部の裏面部の一部を覆うように位置するから、キーボード展開の妨げにもならない。
【００１５】
また、本発明に係る携帯型電子機器は、前記裏面保護部材は、第一裏面保護部と第二裏面保護部とからなり、前記第一裏面保護部の一方端がヒンジを介して前記第一キーボード部の基板部の分割端に回動可能に接続され、前記第二裏面保護部の一方端がヒンジを介して前記第一裏面保護部の他方端に回動可能に接続され、前記第二裏面保護部の他方端部に設けた一対のヒンジピンが前記第二キーボード部の基板部の側面に設けた一対のヒンジ溝に回動及び滑動可能に連結されたことを特徴とする。
【００１６】
本発明によれば、収納状態においては、第一裏面保護部が第一キーボード部の分割面と第二キーボード部の分割面を覆い、第二裏面保護部が分割面及び第二キーボード部の裏面の分割側端部を覆って、キーボードの分割面からのゴミの侵入を防止することができると共に、第一キーボード部と第二キーボード部をつなぐケーブル等を保護することができる。また、第二裏面保護部が第二キーボード部の基板部に回動及び滑動可能に接続されるから、キーボードをスムースに開閉して分割面を保護することができる。また、展開状態において、第一裏面保護部と第二裏面保護部は第二キーボード部の裏面部の一部を覆うように位置するから、キーボード展開の妨げにもならない。
【００１７】
また、本発明に係る携帯型電子機器は、前記第二キーボード部の基板部裏面には、前記第一キーボード部と同じ厚さに形成された台座部と、該台座部より薄く形成されて前記表示体を収容可能な収容部と、を備えたことを特徴とする。
【００１８】
本発明によれば、収納状態においては、収容部に表示体を収容してコンパクトに収納することができると共に、展開状態においては、台座部によって第二キーボード部を第一キーボード部と同じ高さに維持できるから、キーボードのガタつきを防止することができる。
【００１９】
また、本発明に係る携帯型電子機器は、前記第一キーボード部の基板部裏面と前記第二キーボード部の台座部に脚部を設けたことを特徴とする。
【００２０】
本発明によれば、キーボードの基板部に脚部を直接設置することができ、キーボードのガタつきを確実に防止することができる。
【００２１】
また、本発明に係る携帯型電子機器は、そのキーボードキーが６段配置であることを特徴とする。
【００２２】
本発明によれば、日本語入力が可能な縦６列のキーボード配列を可能とする、折り畳みキーボードを有する携帯型電子機器を提供することができる。
【発明の効果】
【００２３】
以上、本発明によれば、左右のキーボードスイッチが離れることなくキーボードを折り畳み可能に分割することができ、キーボードキーが６段配置であることから、ローマ字のみならず、日本語入力が可能な縦６列のキーボード配列を有し、特殊キー等多くのキーを通常のキーボードと同様に配置することができる。また、裏面保護部材によって、キーボードの分割面からのゴミの侵入を防止することができると共に、第一キーボード部と第二キーボード部をつなぐケーブル等を保護することができる。また、キーボードの基板部に脚部を直接設置することができ、キーボードのガタつきを確実に防止することができる。
【図面の簡単な説明】
【００２４】
【図１】本発明の実施の形態に係る携帯型電子機器の展開状態を示した斜視図である。
【図２】本発明の実施の形態に係る携帯型電子機器の展開状態を示した底面図である。
【図３】本発明の実施の形態に係る携帯型電子機器の収納状態を示した斜視図である。
【図４】表示体のみを展開した状態を示した斜視図である。
【図５】キーボードの展開の経過状態を示した斜視図である。
【発明を実施するための形態】
【００２５】
以下、本発明の実施の形態について、図面に基づいて説明する。
【００２６】
図１は、本発明の実施の形態に係る携帯型電子機器１の展開状態を示した斜視図である。また、図３は、本発明の実施の形態に係る携帯型電子機器１の収納状態を示した斜視図である。
【００２７】
図１に示すように、携帯型電子機器１は、キーボード１０をキー配列に沿って左右に分割した第一キーボード部１１及び第二キーボード部１２と、第一キーボード部１１に第一ヒンジ機構３１を介して回動可能に接続された表示体２０と、を備えている。
【００２８】
第一キーボード部１１は、基板部１１ａ上に複数のキースイッチ１５ａが配置されている。また、第二キーボード部１２も同様に、基板部１２ａ上に複数のキースイッチ１５ｂが配置されている。すなわち、第一キーボード部１１と第二キーボード部１２とに２分割されたキーボード１０は、展開状態において横長矩形状となり、第一キーボード部１１と第二キーボード部１２とはフレキシブルコネクタ等を介して電気的に接続されている。なお、６段配置のキーボードキーにおいて、第一キーボード部１１と第二キーボード部１２との分割面１３は図１に示す通りであり、ＪＩＳ規格に準拠したキーボードによればキーボードキー配列が碁盤の目状に整列せずに波状になっている（図中の太線）。
【００２９】
また、基板部１１ａ，１２ａには、キーボード１０の強化のためにレール（図示しない）が敷設されている。
【００３０】
第二キーボード部１２は、第二ヒンジ機構３２を介して第一キーボード部１１に回動可能に接続してあり、第一キーボード部１１及び第二キーボード部１２のキースイッチ面が対向し合う収納状態と、第一キーボード部１１及び第二キーボード部１２のキースイッチ面が開いた展開状態に切り換えて使用可能になっている。
【００３１】
第二ヒンジ機構３２は、第一キーボード部１１と第二キーボード部１２との分割面１３の両端部の基板部１１ａ，１２ａに設けた一対のヒンジから構成されている。すなわち、第二ヒンジ機構３２は、キースイッチ面を跨がない位置で第一キーボード部１１の基板部１１ａと第二キーボード部１２の基板部１２ａとを互いに接続するように配設され、第一キーボード部１１と第二キーボード部１２とを、左右のキースイッチ１５ａ、１５ｂの配列が離れない分割面１３で連設している。
【００３２】
また、第二ヒンジ機構３２は、回転軸がキースイッチ面より僅かに上方に位置するように設けてあり、キーボード１０を折り畳んだ際の収納状態において、互いのキースイッチ１５同士の干渉を防止している。なお、第二ヒンジ機構３２には、公知の各種ヒンジを採用することが可能である。
【００３３】
第一キーボード部１１の基板部１１ａには、第一ヒンジ機構３１を構成する回転軸（図示しない）が内部に設けられた円筒体３１ａが形成されており、この円筒体３１ａを中心として第一キーボード部１１に対して表示体２０に設けられた表示部２１の開閉動作を可能にしている。
【００３４】
表示体２０は、ＬＣＤディスプレイ等からなる表示部２１を有している。また、表示体２０の下部には、円筒体３１ａ内部に設けられている回転軸（図示しない）を支持し、第一ヒンジ機構３１を構成する一対の支持体３１ｂ、３１ｂが両端に形成されている。
【００３５】
携帯型電子機器１は、図３及び図４に示すキーボード１０の収納状態において、第一キーボード部１１の分割面と、第二キーボード部１２の分割面及び裏面分割側端部を覆うと共に、図２に示すキーボード１０の展開状態において、第二キーボード部１２の裏面部の一部を覆う裏面保護部材４０を備えている。
【００３６】
図４に示すように、裏面保護部材４０は、第一裏面保護部４１と第二裏面保護部４２とから構成されている。第一裏面保護部４１は、一方端がヒンジ４３を介して第一キーボード部１１の基板部１１ａの分割端に回動可能に接続されている。また、第二裏面保護部４２は、一方端がヒンジ４４を介して第一裏面保護部４１の他方端に回動可能に接続されていると共に、他方端部に設けた一対のヒンジピン４５，４５が第二キーボード部１２の基板部１２ａの側面に沿って設けた一対のヒンジ溝４６，４６に回動及び滑動可能に連結されている。
【００３７】
収納状態において、第一裏面保護部４１は、ヒンジ４３を介して第一キーボード部１１の基板部１１ａの分割端から起立し、第一キーボード部１１の分割面と第二キーボード部１２の分割面を覆っている。また、第二裏面保護部４２は、ヒンジ４４を介して第一裏面保護部４１に対して略直角に折れ曲がり、第二キーボード部１２の裏面（収納状態では上面）に沿って分割側端部及び分割面を覆っている。
【００３８】
収納状態において、裏面保護部材４０が蓋となって、キーボード１０の分割面から携帯型電子機器１内に埃や塵等の異物が入るのを防止すると共に、第一キーボード部１１と第二キーボード部１２をつなぐケーブル等を保護している。また、裏面保護部材４０は、美観の点からも携帯型電子機器１の内蔵物を隠すことができる。
【００３９】
また、第一裏面保護部４１及び第二裏面保護部４２は、両側辺部に起立部４１ａ，４２ａを備えた断面コ字状に形成している。起立部４１ａ，４２ａは、第一キーボード部１１と第二キーボード部１２の側面を覆っており、より確実に異物の侵入を阻止している。
【００４０】
図３に示すように、第二キーボード部１２の基板部１２ａの裏面には、第一キーボード部１１と同じ厚さに形成された台座部１２ｂと、台座部１２ｂより薄く形成されて表示体２０を収容可能な表示体収容部１２ｃと、を備えている。台座部１２は、キーボード１０を展開したときに安定させる役割を有するから、分割面１３の反対側の端部（キーボード１０の端部）に形成してあることが好ましい。
【００４１】
第一キーボード部１１の基板部１１ａの裏面には、４箇所に脚部１４が直接設けられている。また、第二キーボード部１２の台座部１２ｂには、２箇所に脚部１４が直接設けられている。これらの脚部１４は、キーボード１０の基板部１１ａ，１２ａに直接設置されているので、キーボード１０のガタつきを確実に防止して、キー操作を容易にしている。
【００４２】
また、第一キーボード部１１は、基板部１１ａの底部及び側面部をキースイッチ１５の分割面１３より延設した保持部１１ｂを備えている。保持部１１ｂは、第二キーボード部１２を展開したときに、第二キーボード部１２の基板部１２ａ（表示体収容部１２ｃ部分）を受容して、キーボード１０の水平状態を保持するようにしている。
【００４３】
また、保持部１１ｂは、内側側面部に係止片（図示しない）を備えている。第二キーボード部１２は、基板部１２ａの側面に保持部１１ｂの係止片と係合する係止片（図示しない）を備え、キーボード１０の展開状態を維持可能にしている。
【００４４】
次に、図１〜５を参照して携帯型電子機器１の開閉操作について説明する。
【００４５】
図３に示すように、収納状態において、キーボード１０は、第一キーボード部１１及び第二キーボード部１２のキースイッチ面が対向し合うように折り畳まれている。また、表示体２０は、キーボード１０側に閉じられて、第二キーボード部１２の裏面に設けた表示体収容部１２ｃに収容されている。
【００４６】
携帯型電子機器１を使用する際には、図４に示すように、表示体２０が起立し、キーボード１０を展開可能な状態にする。
【００４７】
図４に示す状態において、第二キーボード部１２が第二ヒンジ機構３２を中心に時計回りに回動されると、裏面保護部材４０は、ヒンジピン４５，４５がヒンジ溝４６，４６に沿って回動可能に滑動し、第二裏面保護部４２がヒンジ４４を中心に時計回りに回動すると共に、第一裏面保護部４１もヒンジ４３を中心に時計回りに回動して、図５に示すように、第一裏面保護部４１が水平になり、第二裏面保護部４２が起立した状態になる。
【００４８】
図５に示す状態において、さらに第二キーボード部１２が第二ヒンジ機構３２を中心に時計回りに回動されると、裏面保護部材４０は、ヒンジピン４５，４５がヒンジ溝４６，４６に沿って回動可能に滑動し、第二裏面保護部４２がヒンジ４４を中心に時計回りに回動して、図１に示す展開状態になる。
【００４９】
図１及び図２に示すように、展開状態において、裏面保護部材４０は、第一裏面保護部４１及び第二裏面保護部４２が、第一キーボード部１１の基板部１１ａの分割端から第二キーボード部１２の裏面（表示体収容部１２ｃ）に沿って伸長しているから、キーボード１０使用時の妨げにもならない。
【００５０】
また、展開状態において、第一キーボード部１１の保持部１１ｂは、第二キーボード部１２の基板部１２ａを受容してキーボード１０の水平状態を保持すると共に、キーボード１０の分割面１３を裏側から覆っている。すなわち、展開状態においては、保持部１１ｂ及び裏面保護部材４０が蓋となって、キーボード１０の分割面から携帯型電子機器１内に埃や塵等の異物が入るのを防止すると共に、第一キーボード部１１と第二キーボード部１２をつなぐケーブル等を保護している。
【００５１】
携帯型電子機器１のキーボード１０を折り畳む際には、図１に示す状態において、第二キーボード部１２が第二ヒンジ機構３２を中心に反時計回りに回動されると、裏面保護部材４０は、ヒンジピン４５，４５がヒンジ溝４６，４６に沿って回動可能に滑動し、第二裏面保護部４２がヒンジ４４を中心に反時計回りに回動して、図５に示すように、第二裏面保護部４２が起立した状態になる。
【００５２】
図５に示す状態において、さらに第二キーボード部１２が第二ヒンジ機構３２を中心に反時計回りに回動されると、裏面保護部材４０は、ヒンジピン４５，４５がヒンジ溝４６，４６に沿って回動可能に滑動して溝端に位置すると、ヒンジピン４５，４５を介して第二裏面保護部４２が左方に引っ張られて第一裏面保護部４１がヒンジ４３を中心に反時計回りに回動する。図４に示すように、キーボード１０が折り畳まれると、裏面保護部材４０は、第一裏面保護部４１が第一キーボード部１１の基板部１１ａの分割端から起立し、第一キーボード部１１の分割面と第二キーボード部１２の分割面を覆う位置に保持される。
【００５３】
以上、本発明の実施の形態によれば、第二ヒンジ機構３２が、キースイッチ面を跨がない位置で第一キーボード部１１の基板部１１ａと第二キーボード部１２の基板部１２ａとを互いに接続するように配設されていることによって、第一キーボード部１１と第二キーボード部１２とを、左右のキースイッチ１５の配列が離れない分割面１３で連設することができる。また、収納時には、キーボード１０を２つに折り畳むことができると共に、第二キーボード部１２の裏面に形成された表示体収容部１２ｃに表示体２０を収容することができるから、凹凸の少ないコンパクトな形となり、美観も向上する。
【００５４】
また、収納状態において、第一キーボード部１１の分割面と、第二キーボード部１２の分割面及び裏面分割側端部を覆うと共に、展開状態において、第二キーボード部１２の裏面部の一部を覆う裏面保護部材４０を備えているから、キーボード１０の分割面１３からのゴミの侵入を防止すると共に、第一キーボード部１１と第二キーボード部１２をつなぐケーブル等を保護している。
【００５５】
また、第二キーボード部１２の基板部１２ａの裏面には、第一キーボード部１１と同じ厚さに形成された台座部１２ｂを備え、キーボード１０の基板部１１ａ，１２ａに脚部１４を直接設置したから、キーボード１０のガタつきを確実に防止している。
【００５６】
また、キーボード配列が縦方向に６段あることにより、ローマ字、特殊キー配列が可能となっている。
【符号の説明】
【００５７】
１  携帯型電子機器
１０  キーボード
１１  第一キーボード部
１２  第二キーボード部
１３  分割面
１４  脚部
１５  キースイッチ
２０  表示体
２１  表示部
３１  第一ヒンジ機構
３２  第二ヒンジ機構
４０  裏面保護部材
４１  第一裏面保護部
４２  第二裏面保護部
【図１】
2011145774.tif 000003
【図３】
2011145774.tif 000004
【図４】
2011145774.tif 000005
【図２】
2011145774.tif 000006
【図５】
2011145774.tif 000007